【事件の表示】
　平成１０年特許願第３４０２３０号「食器洗浄機」拒絶査定不服審判事件〔平成１２年　６月１３日出願公開、特開２０００−１５７４８１号〕について、次のとおり審決する。
【結　論】
　本件審判の請求は、成り立たない。
【理　由】
１．手続の経緯
　本願は、平成１０年１１月３０日の出願であって、平成２０年１２月１０日付けで拒絶査定がなされ（同年１２月１６日発送）、これに対し、平成２１年１月１５日に拒絶査定不服審判請求がなされ、同年２月４日付けで手続補正がなされた。そして、当審において平成２２年１０月１日付けの補正の却下の決定により平成２１年２月４日付けの手続補正は却下され、同日付けで拒絶の理由が通知され（同年１０月５日発送）、これに対して、同年１２月３日付けで意見書が提出されるとともに手続補正がなされたものである。
　
２．本願発明
　本願の特許請求の範囲の請求項１に係る発明は、平成２２年１２月３日付けの手続補正により補正された特許請求の範囲の請求項１に記載された次の事項により特定されるものである（以下「本願発明」という。）。
　
　洗浄室と、
　この洗浄室の内部に食器を配置する食器かごと、
　この食器かごにより配置された食器を洗浄する洗浄機構とを具備するものにおいて、
　その食器かごが上下に離間して２段に設けられ、
　その上段の食器かごは、金属線材にて左右段違いに形成され、その高い側に、これの底部を構成し小物の食器を収納するプラスチック製の小物収納部を取外し可能に設けたもので、
　当該小物収納部の取外しにより、下段の食器かご上に上段の食器かごの当該小物収納部を取外した部分を通じて更にその上方へと抜けるスペースが生じることを特徴とする食器洗浄機。
　
３．引用例
（１）引用例１
　当審における平成２２年９月３日付けの拒絶の理由に引用した実願昭４６−５５９６９号（実開昭４８−１４８６８号）のマイクロフィルム（以下「引用例１」という。）には、図面とともに、次の事項が記載されている。
　
ア．「上下二段の食器籠を有する食器洗い機において、上段食器籠を複数段の方形彎曲線よりなる方形枠、この方形枠を二分する複数段の梁をもつ分割枠、並びにこの分割枠および上記方形枠の一辺に両端を固定した多数の彎曲線よりなる籠本体と、二本の線に多数の彎曲線の両端を固定すると共に上記両線に複数の係合爪を取付けてなる分割籠体とにより構成したことを特徴とする食器洗い機。」（実用新案登録請求の範囲）
　
イ．「本考案は食器洗い機の改良に関するもので、その目的とするところは上下二段の食器籠をもつ食器洗い機において上段の食器籠の一部の高さを容易に変更し得るようにした食器洗い機を提供するにある。」（明細書１頁１３〜１７行）
　
ウ．「(1)は上部にスイツチなどを内蔵するパネル部(2)を設けた洗槽で、この洗槽(1)の両側壁(1′)(1″)には上段案内レール(3)(3′)と下段案内レール(4)(4′)とを取付ける。(5)は例えばステンレススチール線、プラスチツクの被覆を施こした鉄線などよりなる上段食器籠で、この上段食器籠(5)は第３図および第４図に示すように二段の方形彎曲線(6)(6′)をその四隅において連結杆(7)で連結してなる方形枠(8)と、この方形枠を二分する分割枠(9)と、この分割枠(9)および方形枠(8)の右辺(10)に両端を固定した互に平行する多数の波形彎曲線(11)と、方形枠(8)の両辺(10)(12)に取付けた四個のローラー(13)とよりなる籠本体(14)と、二本の互に平行する線(15)(16)に互に平行する多数の波形彎曲線(17)の両端を固定し、さらに両線(15)(16)の両端に四個の係合爪(18)を取付けてなる分割籠体(19)とにより構成される。(20)は例えばステンレススチール線、プラスチツクの被覆を施こした鉄線などよりなる下段食器籠で、この下段食器籠(20)にもその両辺に四個のローラ(21)(21′)を取付ける。」（明細書１頁１９行〜２頁１８行）
　
エ．「この図に示す本考案の実施例は第４図および第１図に示すように上段食器籠(5)の上方方形彎曲線(6)と分割枠(9)の上方梁(9′)とに分割籠体(19)の各係合爪(18)を引きかけて各波形彎曲線(11)(17)上に例えば椀類のような比較的径の小なる食器(a)をのせ、この上段食器籠(5)をローラー(11)(11′)および上段案内レール(3)(3′)を案内として洗槽(1)内に挿入し、次に下段食器籠(20)の上に例えば皿類のような比較的径の大なる食器(b)をのせて、この下段食器籠をローラー(21)(21′)および下段案内レール(4)(4′)を案内として洗槽(1)内に挿入して、これら食器(a)(b)の洗浄を行なうものである。この状態は第１図に示す通りである。」（明細書２頁１９行〜３頁１０行）
　
オ．「次に上段食器籠(5)にも皿類のような径の大なる食器(b)をのせたい場合は第２図に示すようにこの上段食器籠(5)の下方方形彎曲線(6′)と分割枠(9)の下方梁(9″)とに分割籠体(19)の各係合爪(18)を引きかけて波形彎曲線(17)上に皿類のような比較的径の大なる食器(b)を、また波形彎曲線(11)上には椀類のような比較的径の小なる食器(a)をのせ、この上段食器籠(5)をローラー(11)(11′)および上段案内レール(3)(3′)を案内として洗槽(1)内に挿入し、次に下段食器籠(20)の上に皿類のような比較的径の大なる食器(b)をのせて、この下段食器籠(20)をローラー(21)(21′)および下段案内レール(4)(4′)を案内として洗槽(1)内に挿入してこれら食器(a)(b)を洗浄するものである。この状態は第２図に示す通りである。」（明細書３頁１１行〜４頁４行）
　
カ．「従来のこの種食器洗い機は上段食器籠に椀類のような比較的径の小なる食器を入れ下段食器籠には皿類のような比較的径の大なる食器を入れるように設計されているが、近来の食生活では椀類より皿類の方を多く使用するようになつてきたので上段食器籠にも皿類の一部を入れたい場合がある。このような場合上記従来の食器洗い機では上段食器籠の高さが低いのでこの上段食器籠には皿類のような径の大なる食器を入れることができず甚だ不便であつた。
　然るに本考案においては上記のように上段食器籠の一部を分割して、この上段食器籠に椀類のような比較的径の小なる食器をのせる場合は分割籠体を籠本体の方形枠に高い位置に引きかけ、またこの上段食器籠の一部に皿類のような比較的径の大なる食器をのせたい場合は上記分割籠体を籠本体の方形枠に低い位置に引きかけるようにしたので上記従来のこの種食器洗い機のような欠点を有効に除去することができる。
　本考案食器洗い機は下記のような種々の効果をもつものである。
１．上記のように上段食器籠で洗える食器の種類が増え実用上頗る便利である。
２．上段食器籠は籠本体と分割籠体との二部分になるがコスト的にはこれらを一体としたものと殆んど変らず、また各部分はスポツト熔接で組立てられるので分割することによりこのスポツト熔接作業がやり易くなる利点がある。
　なお本考案はその上段食器籠の方形枠を形成する方形彎曲線および分割枠の梁を図面の実施例のように二段にすることなく三段以上の数段として分割籠体の高さを三段以上数段に変更せしめることも可能である。」（明細書４頁５行〜５頁１７行）
　
キ．第３、４図には、上段食器籠(5)の籠本体(14)において、分割枠(9)により二分された方形枠(8)の左辺(12)側に、分割籠体(19)を着脱可能に引きかけるために形成された開放口が、図示されている。また、第１〜4図によれば、分割籠体(19)を開放口から取外せば、下段食器籠(20)上に上段食器籠(5)の開放口を通じて更にその上方へと抜けるスペースが生じることは明らかである。
　
ク．第１、３図によれば、多数の波形彎曲線(11)の最も低い部分が、分割籠体(19)側の底をなす下方方形彎曲線(6′)よりも突出し低い位置にあることが図示されており、籠本体(14)は、左右段違いに形成されているものと認められる。
　
ケ．食器洗い機である以上、食器を洗浄するための何らかの洗浄機構を具備することは自明のことである。
　
　上記アないしカの摘記事項及び上記キないしクで認定した事項並びに図面の記載を総合し、本願発明の記載ぶりに則って整理すると、引用例１には、次の発明（以下「引用発明」という。）が記載されている。
　
「洗槽(1)と、この洗槽(1)内部に食器をのせる食器籠(5)(20)と、この食器籠(5)(20)によりのせられた食器を洗浄する洗浄機構とを具備するものにおいて、その食器籠(5)(20)が上下に離間して二段に設けられ、その上段食器籠(5)の籠本体(14)は、ステンレススチール線、プラスチツクの被覆を施した鉄線などにて、左右段違いに形成され、その高い側に、これの底部を構成し食器をのせる分割籠体(19)を取外し可能に設けたもので、当該分割籠体(19)の取外しにより、下段食器籠(20)上に上段食器籠(5)の籠本体(14)の当該分割籠体(19)を取外した部分を通じて更にその上方へと抜けるスペースが生じる食器洗い機。」
　
（２）引用例２
　当審における平成２２年１０月１日付けの拒絶の理由に引用した特開平９−２８５４３５号公報（以下「引用例２」という。）には、図面とともに、次の事項が記載されている。
　
ア．「箸やスプーンなどを保持する小物入れ１３は樹脂成形品であり、箸やスプーンなどが倒れにくくなるように複数の部屋に細かく仕切られ、下かご４の収納部に着脱可能である。」（段落【０００３】）
　
（３）引用例３
　当審における平成２２年１０月１日付けの拒絶の理由に引用した実願平５−４７３１号（実開平６−６２９７２号）のＣＤ−ＲＯＭ（以下「引用例３」という。）には、図面とともに、次の事項が記載されている。
ア．「前記上側の食器棚４の右側端部は、その棚底が上方へ隆起しており、この結果この隆起部14の下方の下側食器棚５との間隔が広げられている。またこの隆起部14には複数の水抜き穴15が設けられ、その周囲はリブ16、17で囲まれて小物収納部18が形成されている。　…(中略)…　なお、食器棚４の小物収納部18には、箸Ｓ等の小物を入れて乾燥することができ、また下側の食器棚５には皿Ｄ等を立てかけて乾燥することができる。
  次に上側の食器棚４でより大きな茶碗Ｃを乾燥する場合、図２の如く補助ハンガー19、19をハンガー７、７に係止した状態で、食器棚４の両端部11、12を補助ハンガー19、19の受片21、21に係止する。すると、食器棚４の位置が一段下がるので、図の如く大きな茶碗Ｃを載せて乾燥することができる。なお、食器棚４の位置が下がると、その分下側の食器棚５と上側の食器棚４との間隔が狭くなるが、食器棚４の小物収納部18が上方へ隆起しているので、この小物収納部18の下方の空間で大きな皿Ｄを乾燥することができる。ｄは小さな皿を示す。 」（段落【００１０】〜【００１３】）
　
４．対比・判断
　本願発明と引用発明を対比すると、引用発明の「洗槽(1)」は本願発明の「洗浄室」に相当し、以下同様に、「上段食器籠(5)の籠本体(14)」は「上段の食器かご」に、「下段食器籠(20)」は「下段の食器かご」に、「上下に離間して二段」は「上下に離間して２段」に、「ステンレススチール線、プラスチツクの被覆を施した鉄線など」は「金属線材」に、「食器洗い機」は「食器洗浄機」に、それぞれ相当する。
　引用発明の「食器をのせ」ることは、本願発明の「食器を配置」すること及び「食器を収納」することと同義である。
　そして、引用発明の「分割籠体(19)」と本願発明の「小物収納部」とは、取外し可能な「食器を収納する収納部」である点で共通する。
　また、本願発明の「その上段の食器かごは、金属線材にて左右段違いに形成され」における「左右段違い」は、金属線材でないプラスチック製の小物収納部を設けていない状態での「左右段違い」と認められる。
　
　よって、両発明の一致点及び相違点は次のとおりである。
〔一致点〕
「洗浄室と、
　この洗浄室の内部に食器を配置する食器かごと、
　この食器かごにより配置された食器を洗浄する洗浄機構とを具備するものにおいて、
　その食器かごが上下に離間して２段に設けられ、
　その上段の食器かごは、金属線材にて左右段違いに形成され、その高い側に、これの底部を構成し食器を収納する収納部を取外し可能に設けたもので、
　当該収納部の取外しにより、下段の食器かご上に上段の食器かごの当該収納部を取外した部分を通じて更にその上方へと抜けるスペースが生じることを特徴とする食器洗浄機。」
　
〔相違点〕
　取外し可能な食器を収納する収納部が、本願発明では、小物の食器を収納するプラスチック製の小物収納部であるのに対し、引用発明では、収容するのは小物の食器ではなく、プラスチック製ではない点。
　
　そこで、この相違点について検討する。
　小物の食器を収納するプラスチック製の取外し可能な小物収納部の点は、引用例２の摘記事項アに記載されているように従来周知〔（必要ならば、実公昭４７−２０９３８号公報（１頁２欄１５〜３３行）、特開平９−１６４１０６号公報（段落【００２７】、【００２８】）、特開平５−１１５４２０号公報、特開平１０−３３４４９号公報（段落【００８９】〜【００９１】）等も参照。〕の事項である。
　また、引用例３には「小物収納部を、上側の食器棚（本願発明の「上段の食器かご」に相当する。）に設けたこと」が記載されている。
　そして、上段の食器かごに取外し可能な、食器を収納する収納部を、特に小物の食器を収納する小物収納部とすることに、格別な技術的意義はなく、どのような食器等を収納する収納部とするかは当業者が適宜選択する設計的事項である。
　したがって、前記周知事項及び引用例３に記載された事項を適用して、引用発明の分割籠体(19)を小物の食器を収納するプラスチック製の小物収納部とすることは当業者が容易に想到し得たことである。
　
　なお、請求人は、平成２２年１２月３日付けの意見書において、「そのうち、食器かごが上下に離間して２段に設けられ、その上段の食器かごは、金属線材にて左右段違いに形成され、その高い側に、これの底部を構成し小物の食器を収納するプラスチック製の小物収納部を設けたことにより、小物の食器の収納が、下方に大きな皿等を収納配置するのに適する大きな収納スペースを余すようにしてでき」るという効果を主張する。
　しかし、本願明細書の段落【００４０】、【００４１】の「更に、…(中略)…しかも、この場合、小物収納部４３は小物の食器５０を横にした状態で収納すべく偏平に構成しており、その偏平構成により、小物収納部４３を設けている上段の食器かご２１の右半部２１ａの下方（下段の食器かご２２との間）に大きな（高い）収納スペースを生じさせることができるので、下段の食器かご２２に、より大きな皿等を収納配置することができる。
　又、この場合、上段の食器かご２１は左右段違いに形成し、その高い側の上方に小物収納部４３を設けているので、その下方には、より大きな収納スペースを生じさせることができ、従って、下段の食器かご２２に、更に大きな皿等を収納配置することができる。又、この場合、上段の食器かご２１は左右段違いに形成し、その高い側の上方に小物収納部４３を設けているので、その下方には、より大きな収納スペースを生じさせることができ、従って、下段の食器かご２２に、更に大きな皿等を収納配置することができる。」と記載されているように、小物収納部を取付けたときに、下方に大きな皿等を収納配置するのに適する大きな収納スペースを余すようにしてできるのは、小物収納部が偏平に構成されていたり、左右段違いの高い側の
上方
　また、請求人は、同意見書において、「特にはその小物収納部を取外し可能に設け、当該小物収納部の取外し（不使用の選択）によって、下段の食器かご上に上段の食器かごの小物収納部を取外した部分を通じて更にその上方へと抜けるスペースが生じるもので、そのスペースを通して、更に大きな皿や、背の高い菜ばし、お玉杓子、麦茶ボトルといった背の高い被洗浄物を下段の食器かご上に配置できて、それらの洗浄ができる、という顕著な効果を奏するものであり、このような用法を採り得る点の記載は上記引用例１（審決の引用例１），２，４（審決の引用例３）にはありません。」とも主張する。
　しかし、引用発明も、食器を収納する収納部（分割籠体(19)）が着脱可能であり、これを取り外せば、その構造上、下段の食器かご（下段食器籠(20)）上に上段の食器かご（上段食器籠(5)の籠本体(14)）の前記収納部（分割籠体(19)）を取外した部分を通じて更にその上方へと抜けるスペースが生じるものであることは、上記３．（１）キ．で述べたとおりである。
　そして、食器を収納する収納部を取外し、そのスペースを通して、更に大きな皿や、背の高い菜ばし、お玉杓子、麦茶ボトルといった背の高い被洗浄物を下段の食器かご上に配置することは、使用方法であって、物の発明である本願発明で特定されていない事項であり、前記効果の主張は特許請求の範囲の記載に基づくものではない。
　加えて、そもそも、食器洗浄機の使用者であれば、被洗浄物の大きさや形状に応じてそれが収納可能なスペースに入れようとすることは当然のことであり〔例えば、実公平４−１８５４５号公報（３頁６欄２〜１６行）、実公平５−４３７４１号公報（２頁３欄１２〜１７行）を参照。〕、引用発明においても、構造上、請求人の主張する用法を取り得るものであるから、何ら格別な事項ではない。
　したがって、請求人の前記主張は採用できない。
　
　また、本願発明を全体としてみても、その作用効果は、引用発明、引用例３に記載された事項及び周知事項から当業者が予測できる範囲のものである。
　
　したがって、本願発明は、引用発明、引用例３に記載された事項及び周知事項に基づいて当業者が容易に発明をすることができたものである。
　 
５．むすび
　以上のとおり、本願発明は、引用発明、引用例３に記載された事項及び周知事項に基づいて当業者が容易に発明をすることができたものであり、特許法第２９条第２項の規定により特許を受けることができないものであるから、本願は拒絶すべきものである。
　よって、結論のとおり審決する。